【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
複数の絵柄を変動表示する絵柄表示手段と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記絵柄表示手段を表示制御する表示制御手段と、
前記抽選手段の抽選結果が当選の場合に、前記複数の絵柄が変動表示を終了したことを契機として前記特別遊技状態を発生させる特別遊技状態発生手段と
を備えた遊技機において、
前記抽選手段による抽選結果が当選の場合に行われる前記複数の絵柄の変動態様を特別遊技状態発生条件として教示する条件教示手段を備え、
前記表示制御手段は、
前記変動開始判断手段による変動開始条件成立を示す判断結果に基づいて、前記複数の絵柄を変動表示させると共に、前記抽選手段の抽選結果が当選の場合には前記複数の絵柄を特定絵柄の組合せで停止させるように且つ前記抽選手段の抽選結果が非当選の場合には前記複数の絵柄を前記特定絵柄の組合せで停止させないように変動制御する第１変動制御手段と、
前記変動開始判断手段による変動開始条件成立を示す判断結果に基づいて、前記抽選手段の抽選結果が当選の場合には前記複数の絵柄を所定の向きに変動表示させるように且つ前記抽選手段の抽選結果が非当選の場合には前記複数の絵柄を前記所定の向きに変動表示させることなく停止させるように変動制御する第２変動制御手段と、
前記複数の絵柄の変動制御を行う前記各変動制御手段を切り替える変動制御切替手段とを備えることを特徴とする遊技機。
【請求項２】
複数の絵柄を変動表示する絵柄表示手段と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記絵柄表示手段を表示制御する表示制御手段と、
前記抽選手段の抽選結果が当選の場合に、前記複数の絵柄が変動表示を終了したことを契機として前記特別遊技状態を発生させる特別遊技状態発生手段とを備えた遊技機において、
前記抽選手段による抽選結果が当選の場合に行われる前記複数の絵柄の変動態様を特別遊技状態発生条件として教示する条件教示手段を備え、
前記表示制御手段は、
前記変動開始判断手段による変動開始条件成立を示す判断結果に基づいて、前記複数の絵柄を変動表示させると共に、前記抽選手段の抽選結果が当選の場合には前記複数の絵柄を特定絵柄の組合せで停止させるように且つ前記抽選手段の抽選結果が非当選の場合には前記複数の絵柄を前記特定絵柄の組合せで停止させないように変動制御する第１変動制御手段と、
前記変動開始判断手段による変動開始条件成立を示す判断結果に基づいて、前記抽選手段の抽選結果が当選の場合には前記絵柄の何れかを所定の向きに変動表示させるように且つ前記抽選手段の抽選結果が非当選の場合には前記何れかの絵柄を前記所定の向きに変動表示させることなく停止させるように変動制御する第２変動制御手段と、
前記複数の絵柄の変動制御を行う前記各変動制御手段を切り替える変動制御切替手段と
を備えることを特徴とする遊技機。
【請求項３】
複数の絵柄を変動表示する絵柄表示手段と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記絵柄表示手段を表示制御する表示制御手段と、
前記抽選手段の抽選結果が当選の場合に、前記複数の絵柄が変動表示を終了したことを契機として前記特別遊技状態を発生させる特別遊技状態発生手段とを備えた遊技機において、
前記抽選手段による抽選結果が当選の場合に行われる前記複数の絵柄の変動態様を特別遊技状態発生条件として教示する条件教示手段を備え、
前記表示制御手段は、
前記変動開始判断手段による変動開始条件成立を示す判断結果に基づいて、前記複数の絵柄を循環するようにして変動表示させると共に、前記抽選手段の抽選結果が当選の場合には前記複数の絵柄を特定絵柄の組合せで停止させるように且つ前記抽選手段の抽選結果が非当選の場合には前記複数の絵柄を前記特定絵柄の組合せで停止させないように変動制御する第１変動制御手段と、
前記変動開始判断手段による変動開始条件成立を示す判断結果に基づいて、前記抽選手段の抽選結果が当選の場合には前記複数の絵柄を循環するようにして変動表示させ、且つ前記抽選手段の抽選結果が非当選の場合には前記複数の絵柄を循環させることなく変動表示を停止させるように変動制御する第２変動制御手段と、
前記複数の絵柄の変動制御を行う前記各変動制御手段を切り替える変動制御切替手段と
を備えることを特徴とする遊技機。
【請求項４】
複数の絵柄を変動表示する絵柄表示手段と、
前記複数の絵柄の変動開始条件成立を判断する変動開始判断手段と、
前記変動開始判断手段による変動開始条件成立を示す判断結果に基づいて、遊技者に有利な特別遊技状態を発生させるか否かの抽選を行う抽選手段と、
前記変動開始判断手段による変動開始条件成立を示す判断結果に基づいて前記絵柄表示手段を表示制御する表示制御手段と、
前記抽選手段の抽選結果が当選の場合に、前記複数の絵柄が変動表示を終了したことを契機として前記特別遊技状態を発生させる特別遊技状態発生手段とを備えた遊技機において、
前記抽選手段による抽選結果が当選の場合に行われる前記複数の絵柄の変動態様を特別遊技状態発生条件として教示する条件教示手段を備え、
前記表示制御手段は、
前記変動開始判断手段による変動開始条件成立を示す判断結果に基づいて、前記複数の絵柄を循環するようにして変動表示させると共に、前記抽選手段の抽選結果が当選の場合には前記複数の絵柄を特定絵柄の組合せで停止させるように且つ前記抽選手段の抽選結果が非当選の場合には前記複数の絵柄を前記特定絵柄の組合せで停止させないように変動制御する第１変動制御手段と、
前記変動開始判断手段による変動開始条件成立を示す判断結果に基づいて、前記抽選手段の抽選結果が当選の場合には前記絵柄の何れかを循環するようにして変動表示させ、且つ前記抽選手段の抽選結果が非当選の場合には前記何れかの絵柄を循環させることなく変動表示を停止させるように変動制御する第２変動制御手段と、
前記複数の絵柄の変動制御を行う前記各変動制御手段を切り替える変動制御切替手段と
を備えることを特徴とする遊技機。
【請求項５】
前記条件教示手段は、前記複数の絵柄の変動制御を前記第２変動制御手段が行う場合に前記特別遊技状態発生条件を教示し、前記複数の絵柄の変動制御を前記第１変動制御手段が行う場合に前記特別遊技状態発生条件を教示しないことを特徴とする請求項１乃至４のいずれかに記載の遊技機。
【請求項６】
前記第２変動制御手段は、前記抽選手段の抽選結果が当選の場合に前記絵柄の少なくとも１つが停止しないよう前記絵柄表示手段を変動制御し、前記表示制御手段は、かかる変動制御下において、前記複数の絵柄が停止する前に、前記特別遊技状態開始を報知する特別遊技報知画像を前記絵柄表示手段上に表示させることを特徴とする請求項１乃至５のいずれかに記載の遊技機。